(57)【要約】【課題】壁パネルを躯体と接触させないように下方に移動させ、所定位置に配置できる壁パネルの施工治具及び壁パネルの施工方法を提供する。【解決手段】壁パネルの施工治具１００は、躯体１０１に固定された壁パネルを支持する支持金具１１０に取り付けられる取付手段１と、壁パネルＰが接触可能とされるととともに、壁パネルＰを下方に滑走させる滑走手段４と、を備え、支持金具１１０には、水平面に沿う水平板材１１３が設けられ、取付手段１は、水平板材１１３を挿入可能な挿入部ｓ１を有する。【選択図】図２
2022001717.tif 000002
【特許請求の範囲】
【請求項１】
躯体に固定された壁パネルを支持する支持金具に取り付けられる取付手段と、
前記壁パネルが接触可能とされるととともに、該壁パネルを下方に滑走させる滑走手段と、を備える壁パネルの施工治具。
【請求項２】
前記支持金具には、水平面に沿う水平板材が設けられ、
前記取付手段は、前記水平板材を挿入可能な挿入部を有する請求項１に記載の壁パネルの施工治具。
【請求項３】
前記支持金具には、前記水平板材から鉛直面に沿うように延びる鉛直板材が設けられ、
前記取付手段は、前記鉛直板材を挟んで前記挿入部と反対側に配置され、前記鉛直板材に当接可能な当接部を有する請求項１または２に記載の壁パネルの施工治具。
【請求項４】
前記挿入部は、
厚みが第一寸法である前記水平板材が挿入可能な第一挿入部を有する請求項２または３に記載の壁パネルの施工治具。
【請求項５】
前記挿入部は、
厚みが第二寸法である前記水平板材が挿入可能な第二挿入部をさらに有する請求項４に記載の壁パネルの施工治具。
【請求項６】
請求項１〜５のいずれか一項に記載の壁パネルの施工治具を躯体に固定された壁パネルを支持する支持金具に取り付けて、前記壁パネルを所定の位置に配置する壁パネルの施工方法であって、
前記取付手段を前記支持金具に取り付ける取付工程と、
前記壁パネルを前記滑走手段に接触させつつ下方に滑走させる壁パネル滑走工程と、を備える壁パネルの施工方法。
【発明の詳細な説明】
【技術分野】
【０００１】
本開示は、壁パネルの施工治具及び壁パネルの施工方法に関するものである。
【背景技術】
【０００２】
従来から、コンクリートの型枠等のパネル部材を建物の外面に沿って移動させる際には、パネル部材が梁等の躯体に接触しないようにしていた。例えば、下記の特許文献１には、ウインチの巻上げワイヤーをプーリーに巻回して、巻上げワイヤーを躯体と型枠との間に吊り下ろして、巻上げワイヤーの先端に設けられた引掛け金具を型枠の下端部に係止して、型枠を躯体に沿って吊り上げるようにしたものが提案されている。
【０００３】
一方、外壁パネルを躯体に取り付けるには、クレーン等の機械装置で外壁パネルを吊り上げて、上方から躯体に沿って外壁パネルを吊り下ろして取付位置に配置していた。外壁パネルを吊り下ろす際に、外壁パネルが躯体と接触して外壁パネルに損傷が生じたり、外壁パネルが破損したりしないように、梁に養生材を取り付けたり、建物内の作業者が外壁パネルを幅方向の両端部を指でつかんで下方に移動させていた。
【先行技術文献】
【特許文献】
【０００４】
【特許文献１】特開平１−９４１６０号公報
【発明の概要】
【発明が解決しようとする課題】
【０００５】
しかしながら、上記のように、梁に養生材を取り付ける方法では、壁パネルが養生材に接触して下方に移動する際に、養生材が梁から外れてしまったり、養生材が壁パネルと梁との間に挟まってしまったりして養生材を取り除くことができないという問題点がある。また、作業者が壁パネルの幅方向の両端部を指でつかんで下方に移動させる方法では、躯体と足場等の隙間が狭い際には、壁パネルが建物の外側に移動すると足場に接触してしまうため、壁パネルを指で強く握って慎重に下方に移動させる必要があり、作業者の負担になるという問題点がある。
【０００６】
本発明は、上記事情に鑑みてなされたものであり、壁パネルを躯体と接触させないように下方に移動させ、所定位置に配置できる壁パネルの施工治具及び壁パネルの施工方法を提供するものである。
【課題を解決するための手段】
【０００７】
上記目的を達成するために、本発明は以下の手段を採用している。
すなわち、本発明に係る壁パネルの施工治具は、躯体に固定された壁パネルを支持する支持金具に取り付けられる取付手段と、前記壁パネルが接触可能とされるととともに、該壁パネルを下方に滑走させる滑走手段と、を備える。
【０００８】
このように構成された壁パネルの施工治具は、躯体に固定された壁パネルを支持する支持金具に取り付けられている。壁パネルの施工治具を用いることで、壁パネルを滑走手段に接触させて下方に移動させれば、壁パネルを躯体に接触させることがなく、所定の位置に配置することができる。
【０００９】
また、本発明に係る壁パネルの施工治具は、前記支持金具には、水平面に沿う水平板材が設けられ、前記取付手段は、前記水平板材を挿入可能な挿入部を有していてもよい。
【００１０】
このように構成された壁パネルの施工治具では、取付手段の挿入部に、支持金具の水平板材を挿入すれば、壁パネルの施工治具は支持金具に取り付けられる。よって、壁パネルの施工治具の取り付け及び取り外しが容易であり、作業性が良い。
【００１１】
また、本発明に係る壁パネルの施工治具は、前記支持金具には、前記水平板材から鉛直面に沿うように延びる鉛直板材が設けられ、前記取付手段は、前記鉛直板材を挟んで前記挿入部と反対側に配置され、前記鉛直板材に当接可能な当接部を有していてもよい。
【００１２】
このように構成された壁パネルの施工治具では、躯体に固定された支持金具の鉛直板材を挟んで、取付手段の挿入部と取付手段の当接部とが両側に配置されている。よって、水平板材が挿入部から抜けそうになっても当接部が鉛直板材を押さ付けているため、水平板材が挿入部から抜けることがなく、壁パネルの施工治具が支持金具に安定して取り付けられる。
【００１３】
また、本発明に係る壁パネルの施工治具では、前記挿入部は、厚みが第一寸法である前記水平板材が挿入可能な第一挿入部を有していてもよい。
【００１４】
このように構成された壁パネルの施工治具では、厚みが第一寸法である第一挿入部に、支持金具の水平板材を挿入すれば、壁パネルの施工治具は支持金具に取り付けられる。
【００１５】
また、本発明に係る壁パネルの施工治具は、前記挿入部は、厚みが第二寸法である前記水平板材が挿入可能な第二挿入部をさらに有していてもよい。
【００１６】
このように構成された壁パネルの施工治具では、厚みの異なる支持金具に対して、壁パネルの施工治具を兼用して使用することができ、壁パネルの施工治具の部品点数を抑制することができる。
【００１７】
また、本発明に係る壁パネルの施工方法は、上記のいずれか一に記載の壁パネルの施工治具を躯体に固定された壁パネルを支持する支持金具に取り付けて、前記壁パネルを所定の位置に配置する壁パネルの施工方法であって、前記取付手段を前記支持金具に取り付ける取付工程と、前記壁パネルを前記滑走手段に接触させつつ下方に滑走させる壁パネル滑走工程と、を備える。
【００１８】
このように構成された壁パネルの施工方法では、躯体に固定された壁パネルを支持する支持金具に取り付けられている。壁パネルの施工治具を用いることで、壁パネルを滑走手段に接触させて下方に移動させれば、壁パネルを躯体に接触させることがなく、所定の位置に配置することができる。
【発明の効果】
【００１９】
本発明に係る壁パネルの施工治具及び壁パネルの施工方法によれば、壁パネルを躯体と接触させないように下方に移動させ、所定位置に配置できる。
【図面の簡単な説明】
【００２０】
【図１】本発明の一実施形態に係る壁パネルの施工治具の使用状態を示す斜視図である。
【図２】本発明の一実施形態に係る壁パネルの施工治具の使用状態における鉛直断面図である。
【図３】本発明の一実施形態に係る壁パネルの施工治具の使用状態における斜視図である。
【図４】本発明の一実施形態に係る壁パネルの施工治具の使用状態における拡大した鉛直断面図であり、壁パネルの施工治具を取り付ける軌跡を示している。
【図５】本発明の一実施形態に係る壁パネルの施工治具の他の使用状態における鉛直断面図である。
【図６】本発明の一実施形態に係る壁パネルの施工治具の他の使用状態における斜視図である。
【図７】本発明の一実施形態に係る壁パネルの施工治具の他の使用状態における拡大した鉛直断面図であり、壁パネルの施工治具を取り付ける軌跡を示している。
【発明を実施するための形態】
【００２１】
以下、本発明の一実施形態に係る壁パネルの施工治具及び壁パネルの施工方法について、図面を参照して説明する。
【００２２】
まず、壁パネルの施工治具について説明する。
図１は、本発明の一実施形態に係る壁パネルの施工治具の使用状態を示す斜視図である。
図１に示すように、壁パネルの施工治具の一例である壁施工ローラー具１００は、建物の躯体に固定された第一壁受け金具（支持金具）１１０に取り付けられ、クレーン等の機械装置（不図示）で吊り下げられた外壁パネル（壁パネル）Ｐを、壁施工ローラー具１００に沿って、外壁パネルＰの固定位置まで下方に移動させるものである。
【００２３】
壁施工ローラー具１００は、図１，２に示す第一壁受け金具１１０及び図５に示す第二壁受け金具（支持金具）１２０の両方に取付可能とされている。第一壁受け金具１１０に取り付けられた第一形態の壁施工ローラー具１００を壁施工ローラー具１００Ａと称することがある。また、第二壁受け金具１２０に取り付けられた第二形態の壁施工ローラー具１００を壁施工ローラー具１００Ｂと称することがある。
まず、第一壁受け金具１１０に取り付けられた第一形態の壁施工ローラー具１００Ａについて説明する。
【００２４】
図２は、壁施工ローラー具１００Ａの使用状態における鉛直断面図である。
図２に示すように、建物では、Ｈ鋼からなる床梁（躯体）１０１が、平板状をなす床パネル１０２を支持している。
【００２５】
以下の説明において、床梁１０１の延在方向を、Ｘ方向とすることがある。建物の屋外側（図２の紙面左側）と屋内側（図２の紙面右側）を結ぶ方向（屋内外方向）を、Ｙ方向とすることがある。鉛直方向を、Ｚ方向とすることがある。
【００２６】
床梁１０１の上側のフランジ１０１ａには、第一壁受け金具１１０が固定されている。第一壁受け金具１１０は、Ｘ方向に延在している。第一壁受け金具１１０は、固定された外壁パネルＰを支持したり、外壁パネルＰが当該第一壁受け金具１１０に固定されたりするものである。
【００２７】
第一壁受け金具１１０は、下部プレート１１１と、上下プレート（鉛直板材）１１２と、上部プレート（水平板材）１１３と、を有している。
【００２８】
下部プレート１１１は、板状に形成されている。下部プレート１１１の板面は、水平方向に沿って配置されている。下部プレート１１１は、床梁１０１の上側のフランジ１０１ａに固定されている。
【００２９】
上下プレート１１２は、下部プレート１１１の屋外側の端部から上方に延びている。上下プレート１１２は、板状に形成されている。上下プレート１１２の板面は鉛直方向に沿って配置されている。上下プレート１１２の板厚方向は、屋内外方向を向いている。
【００３０】
上部プレート１１３は、上下プレート１１２の上端部から屋外側に延びている。上部プレート１１３は、板状に形成されている。上部プレート１１３の板面は、水平方向に沿って配置されている。
【００３１】
壁施工ローラー具１００は、取付手段１と、滑走手段４と、を備えている。以下の壁施工ローラー具１００の説明では、第一壁受け金具１１０に取り付けられた状態（壁施工ローラー具１００Ａ）の方向に基づいて、各部材を説明するものとする。
【００３２】
図３は、壁施工ローラー具１００Ａの使用状態における斜視図である。
図３に示すように、取付手段１は、床梁１０１に固定された第一壁受け金具１１０に取付可能とされている。取付手段１は、第一部材１０と、第二部材２０と、を有している。
【００３３】
第一部材１０は、背板プレート１１と、一対の側プレート１６と、を有している。
【００３４】
背板プレート１１は、板状に形成されている。背板プレート１１の板厚方向は、屋内外方向を向いている。背板プレート１１の幅方向（Ｘ方向）の上端部には、下方に凹む凹部１２が形成されている。
【００３５】
側プレート１６は、背板プレート１１の幅方向（Ｘ方向）の両端部から、屋外側に延びるように設けられている。側プレート１６は、板状に形成されている。側プレート１６の板厚方向は、Ｘ方向を向いている。
【００３６】
側プレート１６の上端部且つ屋外側の端部には、斜めに切り欠かれて傾斜部１７が形成されている。側プレート１６の下端部且つ屋外側の端部には、係止片１８が設けられている。
【００３７】
図４は、壁施工ローラー具１００Ａの使用状態における拡大した鉛直断面図であり、壁施工ローラー具１００Ａを第一壁受け金具１１０に取り付ける軌跡を示している。
図４に示すように、係止片１８は、垂下片部１８ａと、挿入片部１８ｂと、を有している。垂下片部１８ａは、側プレート１６の下端部且つ屋外側の端部から下方に延びている。挿入片部１８ｂは、垂下片部１８ａの下端部から屋内側に延びている。
【００３８】
挿入片部１８ｂは、側プレート１６の下端部１６ｂと離間して配置されている。挿入片部１８ｂの上面は、段状をなしている。挿入片部１８ｂの上面のうち屋外側（垂下片部１８ａ側）の上面１８ｃは、挿入片部１８ｂの上面のうち屋内側（垂下片部１８ａと反対側側）の上面１８ｄよりも上方に配置されている。これによって、挿入片部１８ｂの上面１８ｃと側プレート１６の下端部１６ｂとの間に形成される隙間（挿入部、第一挿入部）ｓ１の高さは、挿入片部１８ｂの上面１８ｄと側プレート１６の下端部１６ｂとの間に形成される隙間（挿入部、第二挿入部）ｓ２の高さよりも低い。
【００３９】
隙間ｓ１に、第一壁受け金具１１０の上部プレート１１３の先端部が挿入されている。上部プレート１１３の厚さ（ｔ１とする）（第一寸法）は、隙間ｓ１の高さと略同一か隙間ｓ１の高さよりも僅かに薄い。上部プレート１１３は、隙間ｓ１の奥側まで挿入され、側プレート１６の下端部１６ｂと係止片１８の挿入片部１８ｂの上面１８ｃとの間に挟み込まれている。
【００４０】
側プレート１６の屋内側の部分には、板厚方向に貫通するスライド孔１６ｈが形成されている。スライド孔１６ｈは、鉛直方向に長い。
【００４１】
図３に示すように、第二部材２０は、一対の取付プレート２１（図３では一方の取付プレート２１のみ示している）と、連結プレート３１と、を有している。
【００４２】
各取付プレート２１は、第一部材１０の各側プレート１６の外面（もう一方の側プレート１６と反対側を向く面）に沿って配置されている。取付プレート２１は、板状に形成されている。取付プレート２１の板厚方向は、Ｘ方向を向いている。
【００４３】
一対の取付プレート２１どうしは、側プレート１６のスライド孔１６ｈに挿入された連結軸２２で連結されている。連結軸２２は、Ｘ方向に延びている。連結軸２２は、側プレート１６のスライド孔１６ｈの内部を鉛直方向にスライド可能とされている。連結軸２２は、スライド孔１６ｈの下端部に配置されている。第二部材２０は、連結軸２２回りに回動可能とされている。
【００４４】
連結プレート３１は、一対の取付プレート２１の屋内側の端部どうしを連結している。連結プレート３１は、板状に形成されている。連結プレート３１の板厚方向は、屋内外方向を向いている。
【００４５】
図４に示すように、連結プレート３１の下端部には、屋外側に向かって延びる第一延出プレート３２が設けられている。第一延出プレート３２は、板状に形成されている。第一延出プレート３２の板厚方向は、鉛直方向を向いている。
【００４６】
第一延出プレート３２の屋外側の端部には、下方に延びる第二延出プレート（当接部）３３が設けられている。第二延出プレート３３は、板状に形成されている。第二延出プレート３３の板厚方向は、屋内外方向を向いている。第二延出プレート３３は、第一壁受け金具１１０の上下プレート１１２における屋内側を向く面に当接している。
【００４７】
連結プレート３１の鉛直方向の中間には、屋外側に向かって延びる中間プレート３４が設けられている。中間プレート３４は、板状に形成されている。中間プレート３４の板厚方向は、鉛直方向を向いている。中間プレート３４は、第一壁受け金具１１０の上部プレート１１３の上面に当接している。
【００４８】
図１及び図４に示すように、連結プレート３１の上端部において、幅方向（Ｘ方向）の略中央には、Ｌ字プレート３５が設けられている。Ｌ字プレート３５は、延出片部３５ａと、当接片部３５ｂと、を有している。
【００４９】
延出片部３５ａは、連結プレート３１の上端部の幅方向の略中央から屋外側に延びている。延出片部３５ａは、板状に形成されている。中間プレート３４の板厚方向は、鉛直方向を向いている。
【００５０】
当接片部３５ｂは、延出片部３５ａの屋外側の端部から上方に延びている。当接片部３５ｂは、板状に形成されている。当接片部３５ｂの板厚方向は、屋内外方向を向いている。当接片部３５ｂは、背板プレート１１の屋内側を向く面に当接している。
【００５１】
図３に示すように、滑走手段４は、ローラー軸４１と、２個のローラー４２と、を有している。
【００５２】
ローラー軸４１は、Ｘ方向に延びている。ローラー軸４１は、一対の側プレート１６の間に配置されている。ローラー軸４１の端部は、側プレート１６に支持されている。
【００５３】
各ローラー４２は、ローラー軸４１に、ローラー軸４１回りに回動可能に設けられている。尚、ローラー４２の数は適宜設定可能である。図２に示すように、ローラー４２は、外壁パネルＰにおける屋内側を向く面Ｐ１に接触して、回動可能とされている。ローラー４２は、側プレート１６よりも屋外側に膨出している。
【００５４】
次に、第二壁受け金具１２０に取り付けられた第二形態の壁施工ローラー具１００Ｂについて説明する。なお、第二形態の壁施工ローラー具１００Ｂは、第一形態の壁施工ローラー具１００Ａとは、構成部材の一部の向きが異なるだけで、同じ壁施工ローラー具１００を使用している。
【００５５】
図５は、壁施工ローラー具１００Ｂの使用状態における鉛直断面図である。図６は、壁施工ローラー具１００Ｂの使用状態における斜視図である。図７は、壁施工ローラー具１００Ｂの使用状態における拡大した鉛直断面図であり、壁施工ローラー具１００Ｂを第二壁受け金具１２０に取り付ける軌跡を示している。
図５に示すように、第二壁受け金具１２０は、床梁１０１の上側のフランジ１０１ａに固定されている。第二壁受け金具１２０は、Ｘ方向に延在している。第二壁受け金具１２０は、第一壁受け金具１１０と同様に、固定された外壁パネルＰを支持したり、外壁パネルＰが当該第二壁受け金具１２０に固定されたりするものである。
【００５６】
第二壁受け金具１２０は、下部プレート（水平板材）１２１と、上下プレート（鉛直板材）１２２と、を有している。
【００５７】
下部プレート１２１は、板状に形成されている。下部プレート１２１の板面は、水平方向に沿って配置されている。下部プレート１２１は、床梁１０１の上側のフランジ１０１ａに固定されている。
【００５８】
上下プレート１２２は、下部プレート１２１の屋内外方向の略中央から上方に延びている。上下プレート１２２は、板状に形成されている。上下プレート１２２の板面は鉛直方向に沿って配置されている。上下プレート１２２の板厚方向は、屋内外方向を向いている。
【００５９】
壁施工ローラー具１００Ｂの説明において、壁施工ローラー具１００Ａと同じ向きに配置されるものは、図面に同一の符号を付して説明を省略する。
【００６０】
図７に示すように、第二壁受け金具１２０の下部プレート１２１の厚さを、ｔ２（第二寸法）とする。第二壁受け金具１２０の下部プレート１２１の厚さｔ２は、第一壁受け金具１１０の上部プレート１１３の厚さｔ１よりも厚い。
【００６１】
側プレート１６の隙間ｓ２に、第二壁受け金具１２０の下部プレート１２１の先端部が挿入されている。下部プレート１２１の厚さｔ２は、隙間ｓ２の高さと略同一か隙間ｓ２の高さよりも僅かに薄い。下部プレート１２１は、隙間ｓ２の奥側まで挿入され、側プレート１６の下端部１６ｂと係止片１８の挿入片部１８ｂの上面１８ｄとの間に挟み込まれている。
【００６２】
壁施工ローラー具１００Ｂでは、連結プレート３１が側プレート１６の上方に配置されるように、第二部材２０が壁施工ローラー具１００Ａの状態よりも連結軸２２回りに９０度回動されている。連結軸２２は、スライド孔１６ｈの下端部よりも上方に配置されている。
【００６３】
図６に示すように、取付プレート２１は、鉛直方向に延びている。連結プレート３１の板厚方向は、鉛直方向を向いている。図７に示すように、連結プレート３１は、第二壁受け金具１２０の上下プレート１２２の上端部に当接している。
【００６４】
第一延出プレート（当接部）３２は、連結プレート３１の屋内側の端部から下方に延びている。第一延出プレート３２の板厚方向は、屋内外方向を向いている。第一延出プレート３２は、第二壁受け金具１２０の上下プレート１２２における屋内側を向く面に当接している。
【００６５】
第二延出プレート３３は、第一延出プレート３２の下端部から屋内側に延びている。第二延出プレート３３の板厚方向は、鉛直方向を向いている。
【００６６】
中間プレート３４は、連結プレート３１の屋内外方向の中間から下方に延びている。中間プレート３４の板厚方向は、屋内外方向を向いている。中間プレート３４は、第二壁受け金具１２０の上下プレート１２２における屋外側を向く面に当接している。上下プレート１２２は、第一延出プレート３２と中間プレート３４との間に挟み込まれている。Ｌ字プレート３５の延出片部３５ａは、連結プレート３１の屋外側の端部から下方に延びている。
【００６７】
次に、壁パネルの施工方法について説明する。
まず、壁施工ローラー具１００を第一壁受け金具１１０に取り付ける取付工程を行う。
上記の壁施工ローラー具１００Ａの場合には、図４に、二点鎖線で示す第二部材２０Ｘのように、連結軸２２を側プレート１６のスライド孔１６ｈの上方に移動させつつ、Ｌ字プレート３５が背板プレート１１よりもローラー４２と同じ側に配置されるようにしておく。
【００６８】
第一壁受け金具１１０の上部プレート１１３を、側プレート１６の隙間ｓ１に挿入する。二点鎖線で示す第二部材２０Ｙのように、第二部材２０を連結軸２２回りに回動させつつ、連結軸２２を側プレート１６のスライド孔１６ｈ内で下方に移動させる。第一延出プレート３２が第一壁受け金具１１０の上部プレート１１３に当接したら、壁施工ローラー具１００Ａの位置決めがされ、壁施工ローラー具１００Ａの第一壁受け金具１１０への設置が完了する。なお、壁施工ローラー具１００Ａは、第一壁受け金具１１０の延在方向（Ｘ方向）へ移動させて位置調整することは可能である。
【００６９】
一方、壁施工ローラー具１００Ｂの場合には、図７に、二点鎖線で示す第二部材２０Ｚのように、連結軸２２を側プレート１６のスライド孔１６ｈの上方に移動させておく。
【００７０】
第二壁受け金具１２０の下部プレート１２１の屋外側の端部を、側プレート１６の隙間ｓ２に挿入する。連結軸２２を側プレート１６のスライド孔１６ｈ内で下方に移動させる。連結プレート３１が第二壁受け金具１２０の上下プレート１２２の上端部に当接したら、壁施工ローラー具１００Ｂの位置決めがされ、壁施工ローラー具１００Ｂの第二壁受け金具１２０への設置が完了する。なお、壁施工ローラー具１００Ｂは、第二壁受け金具１２０の延在方向（Ｘ方向）へ移動させて位置調整することは可能である。
【００７１】
図１では、１枚の外壁パネルＰに対して２個の壁施工ローラー具１００を設置しているが、壁施工ローラー具１００の設置個数は適宜設定可能である。
【００７２】
次に、壁パネル滑走工程を行う。
クレーン等の機械装置で吊り下げた外壁パネルＰの面Ｐ１を、ローラー４２に接触させる。床パネル１０２に立った作業者は、外壁パネルＰを把持して、外壁パネルＰをローラー４２に押し付けるようにすれば、ローラー４２がローラー軸４１回りに回動して、外壁パネルＰはローラー４２の外周面を滑走して下方に移動する。外壁パネルＰが所定に位置に配置されると、外壁パネルＰを躯体に固定する。
【００７３】
このように構成された壁施工ローラー具１００及び壁パネルの施工方法では、壁施工ローラー具１００は床梁１０１に固定された第一壁受け金具１１０及び第二壁受け金具１２０に取り付けられている。壁施工ローラー具１００を用いることで、外壁パネルＰを滑走手段４に接触させて下方に移動させれば、外壁パネルＰを床梁１０１等の躯体に接触させることがなく、所定の位置に配置することができる。
【００７４】
また、壁施工ローラー具１００Ａでは、取付手段１の隙間ｓ１に第一壁受け金具１１０の上部プレート１１３を挿入する。壁施工ローラー具１００Ｂでは、取付手段１の隙間ｓ２に第二壁受け金具１２０の下部プレート１２１を挿入する。これによって、壁施工ローラー具１００は第一壁受け金具１１０及び第二壁受け金具１２０に取り付けられる。よって、壁施工ローラー具１００の取り付け及び取り外しが容易であり、作業性が良い。
【００７５】
また、壁施工ローラー具１００Ａでは、第一壁受け金具１１０の上下プレート１１２を挟んで、取付手段１の隙間ｓ１と取付手段１の第二延出プレート３３とが両側に配置されている。よって、上部プレート１１３が隙間ｓ１から抜けそうになっても、第二延出プレート３３が上下プレート１１２を押さえ付けているため、上部プレート１１３が隙間ｓ１から抜けることがなく、壁施工ローラー具１００Ａが第一壁受け金具１１０に安定して取り付けられる。
【００７６】
また、壁施工ローラー具１００Ｂでは、第二壁受け金具１２０の上下プレート１２２を挟んで、取付手段１の隙間ｓ２と取付手段１の第一延出プレート３２とが両側に配置されている。よって、下部プレート１２１が隙間ｓ２から抜けそうになっても、第一延出プレート３２が上下プレート１２２を押さえ付けているため、下部プレート１２１が隙間ｓ２から抜けることがなく、壁施工ローラー具１００Ｂが第二壁受け金具１２０に安定して取り付けられる。
【００７７】
また、厚みの異なる第一壁受け金具１１０、第二壁受け金具１２０に対して、壁施工ローラー具１００を兼用して使用することができ、壁施工ローラー具１００の部品点数を抑制することができる。
【００７８】
また、壁施工ローラー具１００Ａにおいて、Ｌ字プレート３５の当接片部３５ｂは、背板プレート１１の屋内側を向く面に当接している。よって、壁施工ローラー具１００Ａが第一壁受け金具１１０に取り付けられた状態で、第二部材２０が連結軸２２回り回動しようとしても、Ｌ字プレート３５の当接片部３５ｂが背板プレート１１に当接しているため、回動が規制される。
【００７９】
また、壁施工ローラー具１００Ａを第一壁受け金具１１０に取り付ける際に、第二部材２０を回動させるが、背板プレート１１には凹部１２が形成されているため、二点鎖線の第二部材２０Ｙに示すように、Ｌ字プレート３５の当接片部３５ｂが背板プレート１１に干渉することがない。
【００８０】
また、側プレート１６の上端部且つ屋外側の端部には、斜めに切り欠かれて傾斜部１７が形成されているため、ローラー４２が１６よりも屋外側に確実に露出する。
【００８１】
なお、上述した実施の形態において示した各構成部材の諸形状や組み合わせ等は一例であって、本発明の主旨から逸脱しない範囲において設計要求等に基づき種々変更可能である。
【００８２】
例えば、上記に示す実施形態では、壁施工ローラー具１００の隙間ｓ１，ｓ２に第一壁受け金具１１０及び第二壁受け金具１２０の一部を挿入して、壁施工ローラー具１００を第一壁受け金具１１０及び第二壁受け金具１２０に取り付けるようにしたが、本発明はこれに限られない。壁パネルの施工治具を、第一壁受け金具１１０及び第二壁受け金具１２０等にボルトで取り付ける等他の取付手段で取り付けるようにしてもよい。
【００８３】
また、上記に示す実施形態では、壁施工ローラー具１００は第一壁受け金具１１０及び第二壁受け金具１２０の両方に兼用できるように構成されているが、本発明はこれに限られない。厚みの異なる上部プレート１１３と下部プレート１２１に対応して、別々の壁パネルの施工治具を用意するようにしてもよい。
【００８４】
また、上記に示す実施形態では、取付手段１として、ローラー軸４１回りに回動可能なローラー４２を例に挙げて説明したが、本発明はこれに限られない。屋内側に張り出すような曲面（不図示）を有する部材に、曲面部分に摩擦係数（摩擦抵抗）が小さい滑り材（不図示）が設けられた構成であってもよい。壁パネルは、滑り材に沿って円滑に下方に移動可能である。
【符号の説明】
【００８５】
１  取付手段
４  滑走手段
３２  第一延出プレート（当接部）
３３  第二延出プレート（当接部）
１００，１００Ａ，１００Ｂ  壁施工ローラー具（壁パネルの施工治具）
１０１  床梁（躯体）
１１０  第一壁受け金具（支持金具）
１１２  上下プレート（鉛直板材）
１１３  上部プレート（水平板材）
１２０  第二壁受け金具（支持金具）
１２１  下部プレート（水平板材）
１２２  上下プレート（鉛直板材）
Ｐ  外壁パネル（壁パネル）
ｓ１  隙間（挿入部、第一挿入部）
ｓ２  隙間（挿入部、第二挿入部）
ｔ１  第一寸法
ｔ２  第二寸法
【図１】
2022001717.tif 000003
【図２】
2022001717.tif 000004
【図３】
2022001717.tif 000005
【図４】
2022001717.tif 000006
【図５】
2022001717.tif 000007
【図６】
2022001717.tif 000008
【図７】
2022001717.tif 000009